(57)【要約】      （修正有）【課題】ＵＦＳカードとＭｉｃｒｏＳＤカードとを互換できるコネクタを提供する。【解決手段】当該コネクタは、端子部材と、前記端子部材が設置されたフレームと、フレームに外嵌されるハウジングとを備える。ＵＦＳカード又はＭｉｃｒｏＳＤカードがフレームに挿入可能であり且つ端子部材と接続される。端子部材は１９個の端子、即ちＰｉｎ１１乃至Ｐｉｎ１９を含む。挿入されたＵＦＳカード又はＭｉｃｒｏＳＤカードの端子は、端子部材のうち対応する端子と接続可能となる。ＵＦＳカードの端子は１２個の端子、即ちｕ１乃至ｕ１２を含む。ＭｉｃｒｏＳＤカードの端子は８個の端子、即ちｍ１乃至ｍ８を含む。【選択図】図２
0003209147.tif 000002
【実用新案登録請求の範囲】
【請求項１】
端子部材（Ａ）と、前記端子部材（Ａ）が設置されたフレーム（Ｂ）と、フレーム（Ｂ）に外嵌されるハウジング（Ｃ）とを備えた、ＵＦＳカードとＭｉｃｒｏＳＤ（登録商標）カードとを互換できるコネクタであって、
ＵＦＳカード又はＭｉｃｒｏＳＤ（登録商標）カードがフレーム（Ｂ）に挿入可能であり、且つ端子部材（Ａ）と接続され、
前記端子部材（Ａ）は１９個の端子（Ｐｉｎ１乃至Ｐｉｎ１９）を含み、
挿入されたＵＦＳカードまたはＭｉｃｒｏＳＤ（登録商標）カードの端子は、表１と表２に示されているとおり、端子部材（Ａ）のうち対応する端子と接続可能となり、
【表１】
0003209147.tif 000011
ＵＦＳカードの端子は１２個の端子（ｕ１乃至ｕ１２）を含み、
端子Ｐｉｎ１９はスイッチ端子であり、カードが挿入されていない場合ノーマルオープン状態であり、ＵＦＳカードが当該コネクタに挿入された場合、Ｐｉｎ１９はクローズ状態になり、ＵＦＳカードの端子ｕ１１と接続され、ＵＦＳカードが抜け出た場合、Ｐｉｎ１９はノーマルオープン状態に戻す；
【表２】
0003209147.tif 000012
ＭｉｃｒｏＳＤ（登録商標）カードの端子は８個の端子（ｍ１乃至ｍ８）を含み、
端子Ｐｉｎ１９はスイッチ端子であり、カードが挿入されていない場合ノーマルオープン状態であり、ＭｉｃｒｏＳＤ（登録商標）カードが当該コネクタに挿入された場合、Ｐｉｎ１９はクローズ状態になり、ＭｉｃｒｏＳＤ（登録商標）カードの端子ｍ６と接続され、ＭｉｃｒｏＳＤ（登録商標）カードが抜け出た場合、Ｐｉｎ１９はノーマルオープン状態に戻すことを特徴とするＦＳカードとＭｉｃｒｏＳＤ（登録商標）カードとを互換できるコネクタ。
【請求項２】
端子部材（Ａ）の端子１乃至１０（Ｐｉｎ１乃至Ｐｉｎ１０）は長尺状の構造であり、端子部材（Ａ）の端子１１乃至１９（Ｐｉｎ１１乃至Ｐｉｎ１９）はクリップ形の構造であることを特徴とする請求項１に記載のＵＦＳカードとＭｉｃｒｏＳＤ（登録商標）カードとを互換できるコネクタ。
【請求項３】
前記端子部材（Ａ）の１９個の端子は、２列に分けるようにフレーム（Ｂ）に設置され、そのうち、端子１乃至１０（Ｐｉｎ１乃至Ｐｉｎ１０）は一列であり、端子１１乃至１９（Ｐｉｎ１１乃至Ｐｉｎ１９）は別の一列であることを特徴とする請求項１に記載のＵＦＳカードとＭｉｃｒｏＳＤ（登録商標）カードとを互換できるコネクタ。
【考案の詳細な説明】
【技術分野】
【０００１】
本考案はコネクタに関し、特にＵＦＳカードとＭｉｃｒｏＳＤ（登録商標）カードとを互換できる新型のコネクタに関する。
【背景技術】
【０００２】
ＵＦＳは業界内の複数の半導体企業が共同で作成した格納基準であり、ｅＭＭＣ、ＳＤカードの代わりに、伝送インターフェース１チャンネル当たりのデータ率を２．９〜５．８Ｇｂｐｓにすることを目的とする。たとえＵＦＳ  １．０であっても各方向に６００ＭＢ／ｓのシングルチャンネル帯域幅を提供でき、ＵＦＳ  ２．０の場合、更に１．２ＧＢ／ｓまで倍増しになる。
【０００３】
ＵＦＳカードの意匠は不規則であり、その一方側が波形をなし、最大の長さが１５ｍｍであり、最大の幅が１１ｍｍであり、最大の厚みが１．０ｍｍである。
【考案の概要】
【考案が解決しようとする課題】
【０００４】
現在、ますます多くの携帯電話にＵＦＳ高速フラッシュカードが配置されるようになってきている。主流としてのＭｉｃｒｏＳＤ（登録商標）カードと比べ、ＵＦＳカードの伝送速度はより速いので、主流ブランドの新世代の携帯電話製品においては、ＭｉｃｒｏＳＤ（登録商標）カードの継続採用が廃止されたことも少なくない。
【０００５】
しかし、ＭｉｃｒｏＳＤ（登録商標）カードは依然として遍く応用されているので、ＵＦＳカードとＭｉｃｒｏＳＤ（登録商標）カードとを互換できる方法が求められている。
【０００６】
上記技術課題を解決するために、本考案は構造の改善により、ＵＦＳカードとＭｉｃｒｏＳＤ（登録商標）カードとを互換できる新型の高速度高密度コネクタを提供する。
【課題を解決するための手段】
【０００７】
上記技術課題を解決するために、本考案は下記の技術案を提供する。ＵＦＳカードとＭｉｃｒｏＳＤ（登録商標）カードとを互換できるコネクタは、端子部材と、端子部材が設置されたフレームと、フレームに外嵌されるハウジングとを備える。
ＵＦＳカードとＭｉｃｒｏＳＤ（登録商標）カードはフレームに挿入可能であり、且つ端子部材と接続される。
端子部材は１９個の端子、即ちＰｉｎ１乃至Ｐｉｎ１９を含む。
挿入されたＵＦＳカードとＭｉｃｒｏＳＤ（登録商標）カードの端子は、表１と表２に示されているとおり端子部材のうち対応する端子と接続可能となる。
【０００８】
【表１】
0003209147.tif 000003
ＵＦＳカードの端子は１２個の端子即ちｕ１乃至ｕ１２を含む。
端子Ｐｉｎ１９はスイッチ端子であり、カードが挿入されていない場合ノーマルオープン状態であり、ＵＦＳカードが当該コネクタに挿入された場合、Ｐｉｎ１９はクローズ状態になり、ＵＦＳカードの端子ｕ１１と接続され、ＵＦＳカードが抜け出た場合、Ｐｉｎ１９はノーマルオープン状態に戻す。
【表２】
0003209147.tif 000004
ＭｉｃｒｏＳＤ（登録商標）カードの端子は８個の端子即ちｍ１乃至ｍ８を含む。
端子Ｐｉｎ１９はスイッチ端子であり、カードが挿入されていない場合ノーマルオープン状態であり、ＭｉｃｒｏＳＤ（登録商標）カードが当該コネクタに挿入された場合、Ｐｉｎ１９はクローズ状態になり、ＭｉｃｒｏＳＤ（登録商標）カードの端子ｍ６と接続され、ＭｉｃｒｏＳＤ（登録商標）カードが抜け出た場合、Ｐｉｎ１９はノーマルオープン状態に戻す。
【０００９】
ＵＦＳカードの１２個の端子、即ちｕ１乃至ｕ１２の対応した機能について、表３を参照する。
【表３】
0003209147.tif 000005
【００１０】
ＭｉｃｒｏＳＤ（登録商標）カードの８個の端子、即ちｍ１乃至ｍ８の対応した機能について、表４を参照する。
【表４】
0003209147.tif 000006
【００１１】
更なる好ましい技術案において、端子部材の端子１乃至０、即ちＰｉｎ１乃至Ｐｉｎ１０は長尺状の構造であり、端子部材の端子１１乃至１９、即ちＰｉｎ１１乃至Ｐｉｎ１９はクリップ形の構造である。
【００１２】
更なる好ましい技術案において、端子部材の１９個の端子は、２列に分けるようにフレームに設置され、そのうち、端子１乃至１０、即ちＰｉｎ１乃至Ｐｉｎ１０は一列であり、端子１１乃至１９、即ちＰｉｎ１１乃至Ｐｉｎ１９は別の一列である。
【考案の効果】
【００１３】
上記技術案を採用した後、本考案は下記の有益な効果を奏する。
既知の技術案と比べ、当該ＵＦＳカードとＭｉｃｒｏＳＤ（登録商標）カードとを互換できるコネクタでは、端子構造と配列が改善される。具体的に言えば従来のＵＦＳカードコネクタをもとに、端子１乃至１０、１１、１２、１９で完全なＵＦＳカードデータ伝送構造を構成するとともに、端子１乃至１９で完全なＭｉｃｒｏＳＤ（登録商標）カードを互換できるデータ伝送構造を構成することにより、コネクタがＵＦＳカードとＭｉｃｒｏＳＤ（登録商標）カードとを互換することができる。
Ｐｉｎ１９はスイッチ端子として形成され、主にホットプラグに応用され、オーバーヒートを防止しＵＦＳカード又はＭｉｃｒｏＳＤ（登録商標）カードの記憶格納を保護し、記憶されたデータの喪失を防止する役割を果たす。
【図面の簡単な説明】
【００１４】
【図１】ＵＦＳカードとＭｉｃｒｏＳＤ（登録商標）カードとを互換できる新型のコネクタの分解斜視図である。
【図２】ＵＦＳカード又はＭｉｃｒｏＳＤ（登録商標）カードと当該コネクタとの間の端子対応接続の概略図である。
【図３】ＵＦＳカードとＭｉｃｒｏＳＤ（登録商標）カードとを互換できる新型のコネクタの端子の分布図である。
【考案を実施するための形態】
【００１５】
以下に、図１乃至３と具体的な実施例を参照しながら本考案を詳しく説明する。但し、本考案を限定するものではない。
図１に示す通り、ＵＦＳカードとＭｉｃｒｏＳＤ（登録商標）カードとを互換できる新型のコネクタであって、端子部材Ａと、端子部材Ａが設置されたフレームＢと、フレームＢに外嵌されるハウジングＣとを備える。
図２に示す通り、ＵＦＳカード又はＭｉｃｒｏＳＤ（登録商標）カードはフレームＢに挿入可能であり且つ端子部材Ａと接続される。
図３に示す通り、端子部材は端子となるＰｉｎ１乃至Ｐｉｎ１９、計１９個を含む。
【００１６】
挿入されたＵＦＳカード又はＭｉｃｒｏＳＤ（登録商標）カードの端子は、端子部材Ａののうち対応する端子と接続される。詳細について、表１と表２を参照する。
【００１７】
【表５】
0003209147.tif 000007
【００１８】
ＵＦＳカードは、端子となるｕ１乃至ｕ１２、計１２個を含む。
端子Ｐｉｎ１９はスイッチ端子であり、カードが挿入されていない場合ノーマルオープン状態であり、ＵＦＳカードが当該コネクタに挿入された場合、Ｐｉｎ１９はクローズ状態になり、ＵＦＳカードの端子ｕ１１と接続され、ＵＦＳカードが抜け出た場合、Ｐｉｎ１９はノーマルオープン状態に戻す。
【００１９】
【表６】
0003209147.tif 000008
【００２０】
ＭｉｃｒｏＳＤ（登録商標）カードは、端子となるｍ１乃至ｍ８、計８個を含む。
端子Ｐｉｎ１９はスイッチ端子であり、カードが挿入されていない場合ノーマルオープン状態であり、ＭｉｃｒｏＳＤ（登録商標）カードが当該コネクタに挿入された場合、Ｐｉｎ１９はクローズ状態になり、ＭｉｃｒｏＳＤ（登録商標）カードの端子ｍ６と接続され、ＭｉｃｒｏＳＤ（登録商標）カードが抜け出た場合、Ｐｉｎ１９はノーマルオープン状態に戻す。
【００２１】
ＵＦＳカードの１２個の端子、即ちｕ１乃至ｕ１２の対応した機能について、表３を参照する。
【表７】
0003209147.tif 000009
【００２２】
ＭｉｃｒｏＳＤ（登録商標）カードの８個の端子、即ちｍ１乃至ｍ８の対応した機能について、表４を参照する。
【表８】
0003209147.tif 000010
【００２３】
図３に示す通り、端子部材Ａの端子１乃至１０（Ｐｉｎ１乃至Ｐｉｎ１０）は長尺状の構造であり、端子部材Ａの端子１１乃至１９（Ｐｉｎ１１乃至Ｐｉｎ１９）はクリップ形の構造である。
【００２４】
図３に示す通り、端子部材Ａの１９個の端子は、２列に分けてフレームＢに設置され、そのうち端子１乃至１０（Ｐｉｎ１乃至Ｐｉｎ１０）は一列となり、端子１１乃至１９（Ｐｉｎ１１乃至Ｐｉｎ１９）は別の一列となる。
【００２５】
技術常識から分かるように、本技術案は、その要旨又は必須特徴を脱しないその他の実施例により実現できる。従って、上記開示の実施案は各方面からみて、例に過ぎなく、唯一なものではない。本考案の範囲内又は本考案に均等する範囲内の全ての変更は何れも本考案に含まれる。
【図１】
0003209147.tif 000013
【図２】
0003209147.tif 000014
【図３】
0003209147.tif 000015
【手続補正書】
【提出日】平成29年1月5日(2017.1.5)
【手続補正１】
【補正対象書類名】明細書
【補正対象項目名】全文
【補正方法】変更
【補正の内容】
【考案の詳細な説明】
【技術分野】
【０００１】
本考案はコネクタに関し、特にＵＦＳカードとＭｉｃｒｏＳＤカードとを互換できる新型のコネクタに関する。
【背景技術】
【０００２】
ＵＦＳは業界内の複数の半導体企業が共同で作成した格納基準であり、ｅＭＭＣ、ＳＤカードの代わりに、伝送インターフェース１チャンネル当たりのデータ率を２．９〜５．８Ｇｂｐｓにすることを目的とする。たとえＵＦＳ  １．０であっても各方向に６００ＭＢ／ｓのシングルチャンネル帯域幅を提供でき、ＵＦＳ  ２．０の場合、更に１．２ＧＢ／ｓまで倍増しになる。
【０００３】
ＵＦＳカードの意匠は不規則であり、その一方側が波形をなし、最大の長さが１５ｍｍであり、最大の幅が１１ｍｍであり、最大の厚みが１．０ｍｍである。
【考案の概要】
【考案が解決しようとする課題】
【０００４】
現在、ますます多くの携帯電話にＵＦＳ高速フラッシュカードが配置されるようになってきている。主流としてのＭｉｃｒｏＳＤカードと比べ、ＵＦＳカードの伝送速度はより速いので、主流ブランドの新世代の携帯電話製品においては、ＭｉｃｒｏＳＤカードの継続採用が廃止されたことも少なくない。
【０００５】
しかし、ＭｉｃｒｏＳＤカードは依然として遍く応用されているので、ＵＦＳカードとＭｉｃｒｏＳＤカードとを互換できる方法が求められている。
【０００６】
上記技術課題を解決するために、本考案は構造の改善により、ＵＦＳカードとＭｉｃｒｏＳＤカードとを互換できる新型の高速度高密度コネクタを提供する。
【課題を解決するための手段】
【０００７】
上記技術課題を解決するために、本考案は下記の技術案を提供する。ＵＦＳカードとＭｉｃｒｏＳＤカードとを互換できるコネクタは、端子部材と、端子部材が設置されたフレームと、フレームに外嵌されるハウジングとを備える。
ＵＦＳカードとＭｉｃｒｏＳＤカードはフレームに挿入可能であり、且つ端子部材と接続される。
端子部材は１９個の端子、即ちＰｉｎ１乃至Ｐｉｎ１９を含む。
挿入されたＵＦＳカードとＭｉｃｒｏＳＤカードの端子は、表１と表２に示されているとおり端子部材のうち対応する端子と接続可能となる。
【０００８】
【表１】
0003209147.tif 000016
ＵＦＳカードの端子は１２個の端子即ちｕ１乃至ｕ１２を含む。
端子Ｐｉｎ１９はスイッチ端子であり、カードが挿入されていない場合ノーマルオープン状態であり、ＵＦＳカードが当該コネクタに挿入された場合、Ｐｉｎ１９はクローズ状態になり、ＵＦＳカードの端子ｕ１１と接続され、ＵＦＳカードが抜け出た場合、Ｐｉｎ１９はノーマルオープン状態に戻す。
【表２】
0003209147.tif 000017
ＭｉｃｒｏＳＤカードの端子は８個の端子即ちｍ１乃至ｍ８を含む。
端子Ｐｉｎ１９はスイッチ端子であり、カードが挿入されていない場合ノーマルオープン状態であり、ＭｉｃｒｏＳＤカードが当該コネクタに挿入された場合、Ｐｉｎ１９はクローズ状態になり、ＭｉｃｒｏＳＤカードの端子ｍ６と接続され、ＭｉｃｒｏＳＤカードが抜け出た場合、Ｐｉｎ１９はノーマルオープン状態に戻す。
【０００９】
ＵＦＳカードの１２個の端子、即ちｕ１乃至ｕ１２の対応した機能について、表３を参照する。
【表３】
0003209147.tif 000018
【００１０】
ＭｉｃｒｏＳＤカードの８個の端子、即ちｍ１乃至ｍ８の対応した機能について、表４を参照する。
【表４】
0003209147.tif 000019
【００１１】
更なる好ましい技術案において、端子部材の端子１乃至０、即ちＰｉｎ１乃至Ｐｉｎ１０は長尺状の構造であり、端子部材の端子１１乃至１９、即ちＰｉｎ１１乃至Ｐｉｎ１９はクリップ形の構造である。
【００１２】
更なる好ましい技術案において、端子部材の１９個の端子は、２列に分けるようにフレームに設置され、そのうち、端子１乃至１０、即ちＰｉｎ１乃至Ｐｉｎ１０は一列であり、端子１１乃至１９、即ちＰｉｎ１１乃至Ｐｉｎ１９は別の一列である。
【考案の効果】
【００１３】
上記技術案を採用した後、本考案は下記の有益な効果を奏する。
既知の技術案と比べ、当該ＵＦＳカードとＭｉｃｒｏＳＤカードとを互換できるコネクタでは、端子構造と配列が改善される。具体的に言えば従来のＵＦＳカードコネクタをもとに、端子１乃至１０、１１、１２、１９で完全なＵＦＳカードデータ伝送構造を構成するとともに、端子１乃至１９で完全なＭｉｃｒｏＳＤカードを互換できるデータ伝送構造を構成することにより、コネクタがＵＦＳカードとＭｉｃｒｏＳＤカードとを互換することができる。
Ｐｉｎ１９はスイッチ端子として形成され、主にホットプラグに応用され、オーバーヒートを防止しＵＦＳカード又はＭｉｃｒｏＳＤカードの記憶格納を保護し、記憶されたデータの喪失を防止する役割を果たす。
【図面の簡単な説明】
【００１４】
【図１】ＵＦＳカードとＭｉｃｒｏＳＤカードとを互換できる新型のコネクタの分解斜視図である。
【図２】ＵＦＳカード又はＭｉｃｒｏＳＤカードと当該コネクタとの間の端子対応接続の概略図である。
【図３】ＵＦＳカードとＭｉｃｒｏＳＤカードとを互換できる新型のコネクタの端子の分布図である。
【考案を実施するための形態】
【００１５】
以下に、図１乃至３と具体的な実施例を参照しながら本考案を詳しく説明する。但し、本考案を限定するものではない。
図１に示す通り、ＵＦＳカードとＭｉｃｒｏＳＤカードとを互換できる新型のコネクタであって、端子部材Ａと、端子部材Ａが設置されたフレームＢと、フレームＢに外嵌されるハウジングＣとを備える。
図２に示す通り、ＵＦＳカード又はＭｉｃｒｏＳＤカードはフレームＢに挿入可能であり且つ端子部材Ａと接続される。
図３に示す通り、端子部材は端子となるＰｉｎ１乃至Ｐｉｎ１９、計１９個を含む。
【００１６】
挿入されたＵＦＳカード又はＭｉｃｒｏＳＤカードの端子は、端子部材Ａののうち対応する端子と接続される。詳細について、表１と表２を参照する。
【００１７】
【表５】
0003209147.tif 000020
【００１８】
ＵＦＳカードは、端子となるｕ１乃至ｕ１２、計１２個を含む。
端子Ｐｉｎ１９はスイッチ端子であり、カードが挿入されていない場合ノーマルオープン状態であり、ＵＦＳカードが当該コネクタに挿入された場合、Ｐｉｎ１９はクローズ状態になり、ＵＦＳカードの端子ｕ１１と接続され、ＵＦＳカードが抜け出た場合、Ｐｉｎ１９はノーマルオープン状態に戻す。
【００１９】
【表６】
0003209147.tif 000021
【００２０】
ＭｉｃｒｏＳＤカードは、端子となるｍ１乃至ｍ８、計８個を含む。
端子Ｐｉｎ１９はスイッチ端子であり、カードが挿入されていない場合ノーマルオープン状態であり、ＭｉｃｒｏＳＤカードが当該コネクタに挿入された場合、Ｐｉｎ１９はクローズ状態になり、ＭｉｃｒｏＳＤカードの端子ｍ６と接続され、ＭｉｃｒｏＳＤカードが抜け出た場合、Ｐｉｎ１９はノーマルオープン状態に戻す。
【００２１】
ＵＦＳカードの１２個の端子、即ちｕ１乃至ｕ１２の対応した機能について、表３を参照する。
【表７】
0003209147.tif 000022
【００２２】
ＭｉｃｒｏＳＤカードの８個の端子、即ちｍ１乃至ｍ８の対応した機能について、表４を参照する。
【表８】
0003209147.tif 000023
【００２３】
図３に示す通り、端子部材Ａの端子１乃至１０（Ｐｉｎ１乃至Ｐｉｎ１０）は長尺状の構造であり、端子部材Ａの端子１１乃至１９（Ｐｉｎ１１乃至Ｐｉｎ１９）はクリップ形の構造である。
【００２４】
図３に示す通り、端子部材Ａの１９個の端子は、２列に分けてフレームＢに設置され、そのうち端子１乃至１０（Ｐｉｎ１乃至Ｐｉｎ１０）は一列となり、端子１１乃至１９（Ｐｉｎ１１乃至Ｐｉｎ１９）は別の一列となる。
【００２５】
技術常識から分かるように、本技術案は、その要旨又は必須特徴を脱しないその他の実施例により実現できる。従って、上記開示の実施案は各方面からみて、例に過ぎなく、唯一なものではない。本考案の範囲内又は本考案に均等する範囲内の全ての変更は何れも本考案に含まれる。
【手続補正２】
【補正対象書類名】実用新案登録請求の範囲
【補正対象項目名】全文
【補正方法】変更
【補正の内容】
【実用新案登録請求の範囲】
【請求項１】
端子部材（Ａ）と、前記端子部材（Ａ）が設置されたフレーム（Ｂ）と、フレーム（Ｂ）に外嵌されるハウジング（Ｃ）とを備えた、ＵＦＳカードとＭｉｃｒｏＳＤカードとを互換できるコネクタであって、
ＵＦＳカード又はＭｉｃｒｏＳＤカードがフレーム（Ｂ）に挿入可能であり、且つ端子部材（Ａ）と接続され、
前記端子部材（Ａ）は１９個の端子（Ｐｉｎ１乃至Ｐｉｎ１９）を含み、
挿入されたＵＦＳカードまたはＭｉｃｒｏＳＤカードの端子は、表１と表２に示されているとおり、端子部材（Ａ）のうち対応する端子と接続可能となり、
【表１】
0003209147.tif 000024
ＵＦＳカードの端子は１２個の端子（ｕ１乃至ｕ１２）を含み、
端子Ｐｉｎ１９はスイッチ端子であり、カードが挿入されていない場合ノーマルオープン状態であり、ＵＦＳカードが当該コネクタに挿入された場合、Ｐｉｎ１９はクローズ状態になり、ＵＦＳカードの端子ｕ１１と接続され、ＵＦＳカードが抜け出た場合、Ｐｉｎ１９はノーマルオープン状態に戻し、
【表２】
0003209147.tif 000025
ＭｉｃｒｏＳＤカードの端子は８個の端子（ｍ１乃至ｍ８）を含み、
端子Ｐｉｎ１９はスイッチ端子であり、カードが挿入されていない場合ノーマルオープン状態であり、ＭｉｃｒｏＳＤカードが当該コネクタに挿入された場合、Ｐｉｎ１９はクローズ状態になり、ＭｉｃｒｏＳＤカードの端子ｍ６と接続され、ＭｉｃｒｏＳＤカードが抜け出た場合、Ｐｉｎ１９はノーマルオープン状態に戻すことを特徴とするＵＦＳカードとＭｉｃｒｏＳＤカードとを互換できるコネクタ。
【請求項２】
端子部材（Ａ）の端子１乃至１０（Ｐｉｎ１乃至Ｐｉｎ１０）は長尺状の構造であり、端子部材（Ａ）の端子１１乃至１９（Ｐｉｎ１１乃至Ｐｉｎ１９）はクリップ形の構造であることを特徴とする請求項１に記載のＵＦＳカードとＭｉｃｒｏＳＤカードとを互換できるコネクタ。
【請求項３】
前記端子部材（Ａ）の１９個の端子は、２列に分けるようにフレーム（Ｂ）に設置され、そのうち、端子１乃至１０（Ｐｉｎ１乃至Ｐｉｎ１０）は一列であり、端子１１乃至１９（Ｐｉｎ１１乃至Ｐｉｎ１９）は別の一列であることを特徴とする請求項１に記載のＵＦＳカードとＭｉｃｒｏＳＤカードとを互換できるコネクタ。
【手続補正書】
【提出日】平成29年1月19日(2017.1.19)
【手続補正１】
【補正対象書類名】図面
【補正対象項目名】図２
【補正方法】変更
【補正の内容】
【図２】
0003209147.tif 000026